(57)【要約】【課題】本発明の課題は、クレセントの掛具が掛部受具に嵌った施錠状態でも限定された移動量だけ引違窓等の開閉方向に框に対して移動可能であるクレセントを提供することである。【解決手段】本発明によるクレセントでは、互いに向き合う第一筺体と第二筺体を備え、第二筺体は框に取りつけられ固定されるもので、第一筺体は、第二筺体に対して所定の間隔の範囲で自在に可動するようにこれに支持され、第一筺体の面に固定した軸と、その軸の周りに回転する回転部と、回転部には掛片と、軸の周りに回転部を回転するためのハンドルとが備えられている。【選択図】図１
2016191218.tif 000002
【特許請求の範囲】
【請求項１】
引違い扉又は引違い窓の框に取り付けるクレセントであって、外側框に取り付ける掛部受け具と、内側框に取り付ける掛部を有し、前記掛部は、軸と、これを回転の芯とする回転部と、回転部に一体に取りついた掛片及びハンドルと、前記軸を直角に取り付けた第一筐体と、第一筐体に平行にかつこれとは所定の間隔の範囲内で自由に可動するように支持された第二筐体とを備え、第二筐体は、内側框に取っ付けられるものであることで、第一筐体に取りついたることで、前記回転部、前記掛片及び前記ハンドルが、第一筐体に対して前記所定の間隔の範囲内で自由に可動するようにしたことを特徴とするクレセント。
【請求項２】
第一筐体と第二筐体の間の支持手段として、相互の間に直角に架け渡された棒体を備えたことを特徴とする請求項１記載のクレセント。
【請求項３】
第一筐体と第二筐体の間、又は前記棒体に沿って付勢手段を設けたことで、可動において衝撃を緩衝することを可能としたことを特徴とする請求項１又は請求項２記載のクレセント。
【請求項４】
第一筐体又は第二筐体が、前記軸と、前記回転部と、前記掛片と、前記ハンドルとを覆うように構成し、前記掛片と前記ハンドルの位置においてこれらをはみ出すための開口部を設けたことを特徴とする請求項１から請求項３のいずれか1つに記載のクレセント。
【発明の詳細な説明】
【技術分野】
【０００１】
本発明は、クレセントの掛具が掛部受具に嵌った施錠状態でも限定された移動量だけ引違窓等の開閉方向に移動可能であるクレセントに関するものである。
【背景技術】
【０００２】
従来、クレセントは、主に引き違い扉や窓に取り付けられる。
図４は従来のクレセントを示す図である。
４−Ａにおいて、扉や窓等の引違枠を取付対象物とすれば、引違枠の室内側枠の立框に取付けられる、掛部本体４１００と、引違枠の室外側枠の立框に取付けられる、掛部受具４２００を備えている。掛部本体４１００は、基台４１１０とこれに回転自在に取り付けた
掛部４１２０を備え、基台４１１０には、室内側枠の立框に取り付けるためのネジ穴とネジ等の取付け具４１１１が付いている。掛部４１２０は、回転部４１２１とこれについて回転移動し、掛部受具４２００の嵌り溝４２０１に嵌り、又、外すことが可能な掛片４１２２と、回転部４１２１に取りついて回転をさせるハンドル４１２３を備えている。４−Ｂには、４−Ａのクレセントが室内外の両側の引違立框に取りついた状態を示している。
このような非常に単純な構成であり、ハンドルを手で回せば、容易に掛片４１２２が掛部受具４２００に嵌り施錠状態に、又、逆に回転して外せば、開錠状態になる。
窓等に沢山使用されている。このようなクレセントの欠点は、施錠状態では堅固に窓枠が互いに固定されるため、地震動などでの窓枠の瞬間的ゆがみの影響が大きく、第一の欠点として、窓ガラスの破損を招きやすいこと、或いは、第二の欠点として、歪みにより窓が開かなくなって避難に支障をきたすことなどがあげられる。
第一の欠点に対応することを目的としていないが、特許文献１で提案されたシリンダ錠は、
図５に示すようなものである。右側の図に示すようにシリンダを受ける溝がある長さを持っているので、シリンダは、この溝に嵌って、その長さの範囲内で自由にスライドできる。従来は、施錠せずにチェインなどで結合し開き加減を調整可能にしていたものである。すなわち、扉の開き加減を所望の状態にしたものである。換気の為に扉を所望の開き状態にしておきたいが、防犯上から完全な開放でなくしたいための対応であった。特許文献１はこれに対応するものであるが、一応の施錠を維持したまま、開きを可能としている。
シリンダ錠のシリンダは溝にかみ合っていて、溝は引違扉の開閉方向に対して作成が可能であるので、このような対応が取れた。シリンダ錠の特徴を生かせた提案である。
然しながら、クレセントはこのような対応はとれない。無理にとれば、掛部受け具から掛具が外れやすくなる。そして、換気を目的にしなければ、開きを確保する必要が無いのでこのように長い距離の移動可能性は必要がない。地震動などでの窓枠の瞬間的ゆがみの影響を回避するためだけならば、大きくても１０ｍｍ程度も動ければ十分だからである。
そして、クレセントにおいてこのような要求に対応するものは見当たらない。
第二の欠点に対しては、特許文２〜特許文６には、震動等を機械的に検知して機械的に開錠処理を行う錠装置が示されている。又、特許文献７〜特許文献９には、震動等を電気的に検知して電気機械的に開錠処理を行う錠装置が示されている。いずれも、クレセント錠自体が震動等を緩和する機能までを含んだものはない。
【先行技術文献】
【特許文献】
【０００３】
【特許文献１】特開２０００−２０４８１１
【特許文献２】特開２０１０−２２２９５５
【特許文献３】特開２０１３−２３８３１
【特許文献４】特開２０１４−１０１７３１
【特許文献５】特開２０１４−３７７５９
【特許文献６】特開２０１３−２２１３９２
【特許文献７】特開２０１３−１２４４５３
【特許文献８】特開２０１３−２２４５１７
【特許文献９】特開２０１３−１８１３３９
【発明の概要】
【発明が解決しようとする課題】
【０００４】
本発明の課題は、クレセントの掛具が掛部受具に嵌った施錠状態でも、掛具が、取りつけられた框に対して限定された移動量だけ引違窓等の開閉方向に移動可能であることで震動の衝撃を緩衝するクレセントを提供することである。
【課題を解決するための手段】
【０００５】
本発明によるクレセントでは、互いに向き合う第一筺体と第二筺体を備え、第二筺体は框に取りつけられ固定されるもので、第一筺体は、第二筺体に対して所定の間隔の範囲で自在に可動するようにこれに支持され、第一筺体の面に固定した軸と、その軸の周りに回転する回転部と、回転部には掛片と、軸の周りに回転部を回転するためのハンドルとが備えられている。
以下詳述する。
【０００６】
請求項１記載の発明は、
引違い扉又は引違い窓の框に取り付けるクレセントであって、外側框に取り付ける掛部受け具と、内側框に取り付ける掛部を有し、前記掛部は、軸と、これを回転の芯とする回転部と、回転部に一体に取りついた掛片及びハンドルと、前記軸を直角に取り付けた第一筐体と、第一筐体に平行にかつこれとは所定の間隔の範囲内で自由に可動するように支持された第二筐体とを備え、第二筐体は、内側框に取っ付けられるものであることで、第一筐体に取りついたることで、前記回転部、前記掛片及び前記ハンドルが、第一筐体に対して前記所定の間隔の範囲内で自由に可動するようにしたことを特徴とする。
【０００７】
請求項２記載の発明は、請求項１記載のクレセントにおいて、
第一筐体と第二筐体の間の支持手段として、相互の間に直角に架け渡された棒体を備えたことを特徴とする。
【０００８】
請求項３記載の発明は、請求項１又は請求項２記載のクレセントにおいて、
第一筐体と第二筐体の間、又は前記棒体に沿って付勢手段を設けたことで、可動において衝撃を緩衝することを可能としたことを特徴とする。
【０００９】
請求項４記載の発明は、請求項１から請求項３のいずれか1つに記載のクレセントにおいて、第一筐体又は第二筐体が、前記軸と、前記回転部と、前記掛片と、前記ハンドルとを覆うように構成し、前記掛片と前記ハンドルの位置においてこれらをはみ出すための開口部を設けたことを特徴とする。
【発明の効果】
【００１０】
以上のように構成されているので、本発明のクレセントでは、引違窓等の開閉方向に平行な震動に対して、框に対してクレセントの掛片と掛け部受け具が所定の範囲で自在に動くことができるので、窓ガラスの破損を招きやすいことの不都合や、歪みにより窓が開かなくなって避難に支障をきたすことの不都合が回避できて極めて好都合な特徴が得られる。
【図面の簡単な説明】
【００１１】
【図１】本発明のクレセントの一実施態様を示す図である。
【図２】本発明のクレセントの他の実施態様を示す図である。
【図３】本発明のクレセントの他の一実施態様を示す図である。
【図４】従来のクレセント実施態様を示す図である。
【図５】特許文献１のシリンダ錠を示す図である。
【発明を実施するための形態】
【００１２】
本発明によるクレセントでは、互いに向き合う第一筺体と第二筺体を備え、第二筺体は框に取りつけられ固定されるもので、第一筺体は、第二筺体に対して所定の間隔の範囲で自在に可動するようにこれに支持され、第一筺体の面に固定した軸と、その軸の周りに回転する回転部と、回転部には掛片と、軸の周りに回転部を回転するためのハンドルとが備えられている。
以下、詳述する。
【００１３】
図１は、本発明によるクレセントの一実施態様を示す図である。
１−Ａは、クレセントの図示しない掛け部受け具に嵌るための掛け部１００を示す。掛け部１００は、軸１１０とこれを回転軸（回転の芯）とする回転部１２０、回転部１２０に取りついており、回転により掛け部受け具に嵌り又外れる掛片１３０、回転部１２０に取りついて回転を行うためのハンドル１４０と、少なくとも軸１１０を固定し、扉の框に取り付けるための筐体１５０を備え、
筐体１５０は、ハンドル１４０を回転する場合に機械的干渉しないためにハンドル用開口部１６０と掛片１３０を掛け部受け具側に動かすために機械的干渉しないための掛片用開口部１７０を備え、
筐体１５０は、更に、互いに向き合った第一筐体１５０Ａと第二筐体１５０Ｂを備え、
第一筐体１５０Ａの内側面に軸１１０がその軸を直角にして付いている。
第一筐体１５０Ａと第二筐体１５０Ｂの間には、その間が軸１１０の長手方向に可動自在に動くよう連結棒１８０で支持されている。第二筐体１５０Ｂには、扉の框（図示しない）
に取りつけるための取りつけ部１９０（ネジ止めなどのための取りつけ穴など）を備えている。この構成では、框に対して、第二筐体１５０Ｂが取り付け固定され、それに対して第一筐体１５０Ａは、軸１１０の長手方向に自在に可動なので、震動が軸１１０の長手方向に自在にあっても、所定の距離の範囲で動き、更に、バネ等のクッション部材によっても、震動が緩衝される。１−Ａにおいては、回転部１２０、掛片１３０、ハンドル１４０が第一筐体１５０Ａの内側にあるので、ハンドル用開口部１６０と掛片用開口部１７０が必要であった。
１−Ｂにおいては、回転部１２０、掛片１３０、ハンドル１４０が第一筐体１５０Ａの外側にあるので、ハンドル用開口部１６０と掛片用開口部１７０が不要である。
１−Ａ、１−Ｂにおいては、框に固定される第二筐体１５０Ｂがあり、これに対向し、その間隔が自在な第一筐体１５０Ａ面に回転部１２０、掛片１３０、ハンドル１４０が取りついていた。１−Ａは内側、１−Ｂは外側に取りついたものであった。
尚、勿論、回転部１２０と掛片１３０とハンドルは一体についているので、同時に動く。
従って、震動があって、扉が引違方向に相互に移動しても、回転部１２０が動く範囲で移動するので、震動の衝撃を緩和できる。尚、回転部１２０と筐体１４０の間には、バネなど弾性的なクッション体１８１を備えると、衝撃の緩和に都合がよい。
【００１４】
図２は、本発明のクレセントの他の実施態様を示す図である。
図１の１−Ａ又は１−Ｂのもので、第二筐体１５０Ｂを第一筐体１５０Ａ側に延長し、これをカバーするように覆い筺体１５０Ｃを備えたものである。この場合は、
第二筐体１５０Ｂと覆い筺体１５０Ｃは、框に対して動かず、第一筐体１５０Ａのみ動くので、連結棒１８０は、第二筐体１５０Ｂを框に取りつけるボルトネジなどと兼用も可能である。
【００１５】
図３は、本発明のクレセントの他の一実施態様を示す図である。
以上に説明したクレセントに解除防止機能を付けたものを示している。
回転軸の軸方向から見たものである。
軸１１０、回転部１２０、掛片１３０、ハンドル１４０、筐体１５０（１５０Ａ、１５０Ｂ、１５０Ｃ）は、今まで記述したとおりである。回転部１２０の円柱の側面には、阻止ピンが嵌るピン穴３１０を備えている。ピン支持体３２０に阻止ピン３３０が支持され、バネ等の弾性体部３４０で飛び出す方向に付勢されている。従って、施錠状態では、ピン穴３１０と阻止ピン３３０が対面し、ピン穴３１０に阻止ピン３３０が嵌っている。開錠する場合にこの阻止ピン３３０を引き抜きつつハンドル１４０を回転する必要がある。この場合の阻止ピン３３０の引く抜く手段は各種とれるが、図の一例を説明すると、ピン支持体３２０は回転軸３４０の周りに回転でき、ピン支持体３２０に連結した解除ハンドル３６０を動かすと、ピン支持体３２０は回転し、阻止ピン３３０がピン穴３１０から抜けた状態になるので、この状態でハンドル１４０を回転することができる。阻止ピン３３０が抜けてハンドル１４０がある程度回転すると、阻止ピン３３０が回転部１２０の側面に押されて凹んだ状態になる。この状態は開錠状態であるが、３−Ｂに示す。尚、３−Ａの施錠状態では、ハンドル１４０を開錠状態に回しても、ピン穴３１０が阻止ピン３３０に係り、わずかに回転しても、ピン支持体３２０の一部が、筐体１４０に固定した固定体３７０に接触しそれ以上回転しない。この状態では、まだ阻止ピン３３０は、ピン穴３１０から抜けていない状態なので、解除ハンドル３６０を動かした状態でハンドル１４０を開錠状態に回さない限り開錠されない。
【産業上の利用可能性】
【００１６】
以上のように構成されているため、本発明のクレセントでは、クレセントの掛具が掛部受具に嵌った施錠状態でも、框に対して限定された移動量だけ引違窓等の開閉方向に移動可能であり、従来のクレセントの欠点、第一の欠点としての窓ガラスの破損を招きやすいこと、第二の欠点としての歪みにより窓が開かなくなって避難に支障をきたすことが忌避でき好都合であり、産業上利用性が極めて大きい。
【符号の説明】
【００１７】
１００  掛け部
１１０  軸
１２０  回転部
１３０  掛片
１４０  ハンドル
１５０  筐体
１５０Ａ  第一筐体
１５０Ｂ  第二筐体
１５０Ｃ  覆い筺体
１６０  ハンドル用開口部
１７０  掛片用開口部
１８０  連結棒
１８１  クッション体
１９０  取りつけ部
３１０  ピン穴
３２０  ピン支持体
３３０  阻止ピン
３４０  弾性体部
３４０  回転軸
３６０  解除ハンドル
３７０  固定体
４１００  掛部本体
４１１０  基台
４１１１  取付け具
４１２０  掛部
４１２１  回転部
４１２２  掛片
４１２３  ハンドル
４２００  掛部受具
４２０１  嵌り溝
【図１】
2016191218.tif 000003
【図２】
2016191218.tif 000004
【図３】
2016191218.tif 000005
【図４】
2016191218.tif 000006
【図５】
2016191218.tif 000007